(57)【要約】  【課題】印刷外観・印刷耐久性に優れ、サンプルに含まれる液体成分の含浸による印刷面の汚染がなく、サンプリング時のサンプルの滑り落ちがなく、構成・製法が簡素で、かつ、サンプル挿入時の袋の開口が容易でサンプリング作業の容易性が向上した、トレーサビリティシステムに好適なサンプル保管用袋の提供。  【解決手段】ポリオレフィンを主成分とするシートＡ（１）と、シートＢ（２）との積層体の外周端部（３）を、袋の開口部（４）となる未接合部を一部に残して、接合してなる袋状のサンプル保管用シートであって、前記シートＡ（１）およびシートＢ（２）の少なくとも一方に、開口部の外周（５）と交差し、かつ袋の外側に向かって凸となる山折りの折り目（６）が設けられている、サンプル保管用シート。  【選択図】図１
2006317415.tif 000002
【特許請求の範囲】
【請求項１】
ポリオレフィンを主成分とするシートＡと、シートＢとの積層体の外周端部を、袋の開口部となる未接合部を一部に残して、接合してなる袋状のサンプル保管用シートであって、
前記シートＡおよびシートＢの少なくとも一方に、開口部の外周と交差し、かつ袋の外側に向かって凸となる山折りの折り目が設けられている、サンプル保管用シート。
【請求項２】
上記シートＡおよびシートＢの少なくとも一方に設けられている山折りの折り目が、開口部の外周上の２点を起点とし、かつ袋の底部の１点に至る２本の線分である、請求項１記載のサンプル保管用シート。
【請求項３】
上記シートＡおよびシートＢのうち山折りの折り目が設けられているシートに、さらに、開口部の外周と交差し、かつ袋の内側に向かって凸となる谷折りの折り目が設けられている、請求項１記載のサンプル保管用シート。
【請求項４】
谷折りの折り目が、開口部の外周上の２点を起点とし、かつ袋の底部の１点に至る２本の線分であり、かつ山折りの折り目が、開口部の外周上の前記谷折りの折り目の２点の起点の間の点を起点とし、かつ前記袋の底部の１点に至る１本の線分である、請求項３記載のサンプル保管用シート。
【発明の詳細な説明】
【技術分野】
【０００１】
本発明は、トレーサビリティシステムに用いることができるサンプル保管用シートに関する。
【背景技術】
【０００２】
食品の安全性や品質を管理するため、食品の生産、流通等の履歴を追跡できるシステム、いわゆるトレーサビリティシステムが用いられる。狂牛病対策に用いられるトレーサビリティシステムとしては、牛肉の流通前に肉片サンプルを由来動物の識別番号等を付して保管し、事後に該サンプルをＤＮＡ鑑定の照合用に用いて同一性を確認することで、牛肉の生産、流通等の履歴を追跡できるシステムが例示される。
【０００３】
肉片サンプルの保管のためのサンプルホルダーとしては、特許文献１に、紙である基礎シートの上に透明なポリプロピレン膜であるカバーシートがヒンジ動作で固定され、該カバーシートの基礎シートに対向する面に粘着剤を介して裏貼シートが取り外し可能に固定された構成のものが開示されている。該サンプルホルダーは、使用に際して、カバーシートの裏貼シートを剥がして粘着剤を露出し、サンプルを置いた基礎シート上にカバーシートを接着してサンプルを閉じ込めるものである。また、該サンプルホルダーは、基礎シートのサンプルを置く面と反対の面に、サンプルを識別するためのバーコード等が印刷される。
【０００４】
しかし、上記特許文献１記載のサンプルホルダーは、バーコード等を印刷する基礎シートが紙であるため印刷外観が悪いという問題があり、紙にワックス系インクで印刷した場合は印刷面を擦ると印刷情報が消えてしまい、印刷耐久性が悪いという問題がある。また、肉片サンプル等のような肉汁、血液等の液体成分を含むサンプルの場合、紙である基礎シートにサンプルを置くと基礎シートの反対の面である印刷面に液体成分が含浸し、外観が悪く、かつ印刷情報が読み難くなるという問題がある。さらに、非粘着の基礎シートにサンプルを置くので、サンプルが滑り易く、カバーシートを接着してサンプルを閉じ込めるまで基礎シート上にサンプルを保持することが難しく、サンプリング作業が困難であるという問題がある。またさらに、構成及び製法が複雑で、コスト高となる問題がある。
本発明者らは、上記従来のサンプルホルダーの問題点を解消するために、ポリオレフィンを主成分とするシートを用いた特定の構造を有する袋状のサンプル保管用シートを提案している（特願２００３−４３１５８４号、特願２００３−４３１５８７号）。
本発明者らは、サンプリング作業の容易性をより向上させるためサンプルを挿入する際の袋の開口を容易にすることに着目した。
【特許文献１】特表２００３−５０８７７０号公報
【発明の開示】
【発明が解決しようとする課題】
【０００５】
本発明は、トレーサビリティシステムに用いることができるサンプル保管用シートであって、上記従来の問題点が改善され、しかも、サンプルを挿入する際の袋の開口が容易であり、その結果サンプリング作業の容易性が向上したサンプル保管用シートの提供を目的とする。
【課題を解決するための手段】
【０００６】
本発明者らは上記目的を達成するために鋭意研究を重ねた結果、以下の構成を採用した。
すなわち、本発明は以下の通りである。
［１］ポリオレフィンを主成分とするシートＡと、シートＢとの積層体の外周端部を、袋の開口部となる未接合部を一部に残して、接合してなる袋状のサンプル保管用シートであって、
前記シートＡおよびシートＢの少なくとも一方に、開口部の外周と交差し、かつ袋の外側に向かって凸となる山折りの折り目が設けられている、サンプル保管用シート。
［２］上記シートＡおよびシートＢの少なくとも一方に設けられている山折りの折り目が、開口部の外周上の２点を起点とし、かつ袋の底部の１点に至る２本の線分である、上記［１］記載のサンプル保管用シート。
［３］上記シートＡおよびシートＢのうち山折りの折り目が設けられているシートに、さらに、開口部の外周と交差し、かつ袋の内側に向かって凸となる谷折りの折り目が設けられている、上記［１］記載のサンプル保管用シート。
［４］谷折りの折り目が、開口部の外周上の２点を起点とし、かつ袋の底部の１点に至る２本の線分であり、かつ山折りの折り目が、開口部の外周上の前記谷折りの折り目の２点の起点の間の点を起点とし、かつ前記袋の底部の１点に至る１本の線分である、上記［３］記載のサンプル保管用シート。
【０００７】
本明細書中、シートＡとはポリオレフィンを主成分とするシートを意味し、シートＢとは特に断らない場合には、材質が限定されないシートを意味する。
【発明の効果】
【０００８】
本発明によれば、サンプルを挿入する際の袋の開口が容易であり、その結果サンプリング作業の容易性が向上した、トレーサビリティシステムに用いることができるサンプル保管用シートを提供することができる。加えて、本発明のサンプル保管用シートは、印刷面の印刷外観及び印刷耐久性に優れ、サンプルに含まれる液体成分の含浸による印刷面の汚染がなく、サンプリングの際にサンプルがシートから滑り落ちるような欠点がなく、構成及び製法が簡素である。
【発明を実施するための最良の形態】
【０００９】
以下、本発明を図を参照してより詳細に説明する。
図１〜５はそれぞれ本発明のサンプル保管用シートの一例を示す斜視図である。
本発明のサンプル保管用シートは、図１〜５に示されるように、ポリオレフィンを主成分とするシートＡ（１）と、シートＢ（２）との積層体の外周端部（３）を、袋の開口部（４）となる未接合部を一部に残して、接合してなる袋状のサンプル保管用シートであって、前記シートＡ（１）およびシートＢ（２）の少なくとも一方に、開口部の外周（５）と交差し、かつ袋の外側に向かって凸となる山折りの折り目（６）が設けられていることを特徴としている。
【００１０】
本発明のサンプル保管用シートは、シートＡおよびシートＢの少なくとも一方に設けられている、上記山折りの折り目が、サンプルを袋に挿入する際の袋の開口を容易にするため、容易にサンプリング作業を行うことができる。
また、本発明のサンプル保管用シートは、シートＡがポリオレフィンを主成分とするシートであることから、該シートの外面を印刷面とすることで、従来の紙を用いることによる印刷外観及び印刷耐久性が悪いという問題、及びサンプルに含まれる液体成分の含浸による印刷面が汚染するという問題を解消でき、しかも、袋状のサンプル保管用シートであるので従来のようにサンプルが閉じ込めるまでに滑り落ちることがなく容易にサンプリング作業を行うことができる。
【００１１】
本発明のサンプル保管用シートにおいて、山折りの折り目は、シートＡおよびシートＢの少なくとも一方に設けられていればよく、例えば、図２に構成の一例を示すように、シートＡ（１）に山折りの折り目（６）が設けられており、シートＢ（２）には折り目が設けられていないものであってもよい。袋の開口の容易性の点からは、シートＡおよびシートＢの両方に山折りの折り目が設けられていることが好ましい。
山折りの折り目の線分の長さは、開口部の外周と交差する点（例えば図１のＣで示す）を起点とし、袋の外縁まで延長した線分全体であってもよいが、少なくとも当該線分の７０％程度以上であればよく、必ずしも線分全体でなくてもよい。
また、山折りの折り目の本数は、一枚のシート（シートＡ又はシートＢ）当たり通常１〜５本、好ましくは１〜３本である。
また、山折りの折り目が開口部の外周と交差する角度（図１中のθ１）は、特に限定されないが、通常６０〜１２０°、好ましくは７５〜１０５°、特に好ましくは９０°である。
山折りの折り目が開口部の外周と交差する位置は、特に限定されないが、例えば、シートＡ、シートＢのそれぞれについて、山折りの折り目が１本の場合は、図１に構成の一例を示すように、開口部の外周を構成するシートＡの辺（５ａ）、開口部の外周を構成するシートＢの辺（５ｂ）をそれぞれ略２等分する位置で交差するのが好ましく、山折りの折り目が２本の場合は、図３に構成の一例を示すように、開口部の外周を構成するシートＡの辺（５ａ）、開口部の外周を構成するシートＢの辺（５ｂ）をそれぞれ略３等分する２点の位置で交差するのが好ましい。
【００１２】
本発明のサンプル保管用シートにおいて、シートＡおよびシートＢの少なくとも一方に設けられている山折りの折り目は、図４に構成の一例を示すように、開口部の外周（５）上の２点（図４中、符号Ｃで示す。）を起点とし、かつ袋の底部（８）の１点（図４中、符号Ｄで示す。）に至る２本の線分であることが好ましい。
【００１３】
本発明のサンプル保管用シートにおいて、シートＡおよびシートＢのうち山折りの折り目が設けられているシートに、さらに、例えば図５のように、開口部の外周（５）と交差し、かつ袋の内側に向かって凸となる谷折りの折り目（７）が設けられていてもよい。
【００１４】
谷折りの折り目の線分の長さは、開口部の外周と交差する点（例えば図５のＥで示す）を起点とし、袋の外縁まで延長した線分全体であってもよいが、少なくとも当該線分の７０％程度以上であればよく、必ずしも線分全体でなくてもよい。
谷折りの折り目の本数は、一枚のシート（シートＡ又はシートＢ）当たり通常２本である。
谷折りの折り目が開口部の外周と交差する角度（図５中のθ２）は、特に限定されないが、通常３０〜９０°、好ましくは４５〜７５°である。
谷折りの折り目が開口部の外周と交差する位置は、特に限定されないが、例えば、谷折りの折り目の本数が２本である場合、図５に一例を示すように２本の谷折りの折り目（７）が開口部の外周（５）と交差する２点（図５のＥで示す）が、山折りの折り目（６）が開口部の外周（５）と交差する点（図５のＣで示す）を挟んで位置することが好ましい。特に、谷折りの折り目は、例えば図５に示すように、開口部の外周を構成するシートＡの辺（５ａ）、開口部の外周を構成するシートＢの辺（５ｂ）の、それぞれ両端部（図５中、符号Ｅで示す。）で交差することが好ましい。なお、図５のサンプル保管用シートは、シートＡとシートＢの両方に設けられている谷折りの折り目は図５に現れていない。
【００１５】
本発明のサンプル保管用シートにおいて、図５に構成の一例を示すように、谷折りの折り目（７）が、開口部の外周（５）上の２点（図５のＥで示す）を起点とし、かつ袋の底部（８）の１点（図５のＤで示す）に至る２本の線分であり、かつ山折りの折り目（６）が、開口部の外周（５）上の前記谷折りの折り目（７）の２点の起点（図５のＥで示す）の間の点（図５のＣで示す）を起点とし、かつ前記袋の底部（８）の１点（図５のＤで示す）に至る１本の線分であることが好ましい。
【００１６】
本発明のサンプル保管用シートは、例えば、シートＡおよびシートＢの少なくとも一方に、前述の山折りの折り目、所望により前述の谷折りの折り目を、手によるシートの折り曲げにより、または、公知のプラスチックシート用の折り目線付与装置を用いて付与し、該シートＡと、シートＢとを積層し、積層体の外周端部を袋の開口部となる未接合部を一部に残して、接着剤、ヒートシール等により接合して製造することができる。なお、山折りまたは谷折りの折り目は、シートＡとシートＢを接合して袋状にした後に設けてもよい。
【００１７】
本発明において、シートＡとシートＢを接合する方法は特に限定されないが、例えば、接着剤による接合やヒートシールによる接合等が挙げられる。
本発明において、接合に用いる接着剤は、特に限定されず、種々の接着剤が使用可能であり、例えば、アクリル系、エポキシ系、合成ゴム系、ウレタン系、天然ゴム系、ＥＶＡ系、メラミン系、ポリアミド系等の接着剤が挙げられる。中でも、ＥＶＡ系接着剤のごときホットメルト系接着剤、アクリル系接着剤やゴム系接着剤のごとき感圧性接着剤が好ましい。
【００１８】
本発明において、ポリオレフィンを主成分とするシートＡとしては、例えば、ポリエチレンフィルム、ポリプロピレンフィルム、これらの積層フィルム（例えば、ポリエチレンフィルム／接着剤層／ポリプロピレンフィルム／接着剤層／ポリエチレンフィルムの積層構造からなる積層フィルム等）、ポリエチレンフィルムと紙をラミネートしたもの、ポリエチレンフィルムとポリエチレンテレフタレートフィルム（ＰＥＴフィルム）をラミネートしたもの、ポリエチレンフィルムとＰＥＴフィルムと紙をラミネートしたもの等のポリオレフィンフィルムを少なくとも含む積層シート等が挙げられる。このうち、ポリエチレンフィルムとＰＥＴフィルムと紙をラミネートした積層フィルムは、強度、加工性の点で特に好ましいものである。また、後述のポリオレフィンを主成分とするインクの転写性の観点からは、ポリエチレンフィルム、表層がポリエチレンの積層フィルム（例えば、ポリエチレンフィルム／接着剤層／ポリプロピレンフィルム／接着剤層／ポリエチレンフィルムの積層構造からなる積層フィルム等）等が好ましい。本発明において、シートＡの厚みは、好ましくは５０〜２００μｍ、より好ましくは８０〜１５０μｍであり、シートの厚みが２００μｍを超えると、袋が必要以上にかさばったり、密封（シール）後に、開封しずらくなる傾向となる。また、シートの厚みが５０μｍ未満の場合、袋の開口部がスムーズに開きにくくなったり、袋が破損しやすい傾向となる。原料であるポリオレフィンの粘度平均分子量は、好ましくは５０００〜６００万、より好ましくは１０，０００〜１５０万である。粘度平均分子量が６００万を超えると、フィルム化自体が困難であり、また、後述のポリオレフィンを主成分とするインクの定着性が低下する傾向となる。粘度平均分子量が５０００未満であると、フィルム自体の耐熱性や強度が不足する。シートＡは、本発明の効果を阻害しない限り他の添加物、例えば、顔料、補強基材、酸化防止剤、老化防止剤等を含有してもよい。シートＡに含有してもよい添加物の含有量は、ポリオレフィン１００重量部に対して、通常５０重量部以下、好ましくは３０重量部以下である。
【００１９】
本発明において、シートＢは、特に限定されず、例えば、ポリエチレンフィルム、ポリプロピレンフィルム等のポリオレフィンフィルム、これらの積層フィルム（例えば、ポリエチレンフィルム／接着剤層／ポリプロピレンフィルム／接着剤層／ポリエチレンフィルムの積層構造からなる積層フィルム等）、ポリエチレンフィルムとＰＥＴフィルムとを接着剤を介して積層した積層フィルム（ポリエチレンフィルムとＰＥＴフィルムを貼り合せたもの）、紙、紙とポリエチレンフィルムを貼り合せたもの等が挙げられる。シートＡとシートＢとをヒートシールにより接合する場合は、シートＢは上記シートＡにヒートシール可能なシートを用いる。ヒートシール可能なシートとしては、例えば、シートＡについて例示したものと同様のものを用いることができ、ポリエチレンフィルム、ポリプロピレンフィルム、これらの積層フィルム（例えば、ポリエチレンフィルム／接着剤層／ポリプロピレンフィルム／接着剤層／ポリエチレンフィルムの積層構造からなる積層フィルム等）、ポリエチレンフィルムと紙をラミネートしたもの、ポリエチレンフィルムとポリエチレンテレフタレートフィルム（ＰＥＴフィルム）をラミネートしたもの、ポリエチレンフィルムとＰＥＴフィルムと紙をラミネートしたもの等のポリオレフィンフィルムを少なくとも含む積層シート等が挙げられる。シートＢの厚みは、特に限定はされないが、シートＡと同様の理由から、前述のシートＡの好適厚みと同様の厚みにするのが好ましい。
【００２０】
本発明において、シートＡとシートＢは、１枚のポリオレフィンを主成分とするシートの折り返しによるものであってもよく、該ポリオレフィンを主成分とするシートとしては、例えば、前述のシートＡについて例示したものと同様のものが挙げられる。
【００２１】
本発明において、シートＡ及びシートＢは、それぞれ、中実のシートでも多孔質のシートでもよいが、少なくとも一方のシートが多孔質シート（好適にはシートＡ及びシートＢの少なくとも一方がポリオレフィン（例えば、ポリエチレン等）を主成分とする多孔質シート）であると、袋に入れたサンプルに含まれる液体成分中の水分を外に逃がすことができる点で有利である。すなわち、サンプルを閉じ込めたサンプル保管用シートごと、加熱処理（例えば５０〜１００℃、５分〜２４時間）に付すことにより、シート面を通してサンプルに含まれる液体成分中の水分を外に逃がすことができる。本明細書において「多孔質シート」とは、シートの表面から裏面まで貫通する連通孔を有するシートであり、例えば、ポリオレフィンを主成分とする多孔質シートの場合、その透気度（試験方法：ＪＩＳ−Ｐ−８１１７）は、１０〜１００，０００ｓｅｃ／１００ｃｃが好ましく、５０〜１０，０００ｓｅｃ／１００ｃｃがより好ましい。ポリオレフィンを主成分とする多孔質シートの原料であるポリオレフィンの粘度平均分子量は、好ましくは５０００〜６００万であり、より好ましくは１０，０００〜２００万である。
【００２２】
シートＡ及び／又はシートＢに用いられるポリオレフィンを主成分とする多孔質シートとしては、例えば、特開昭６３−１７９４１号公報、特開昭６３−２９５６４９号公報等に記載のポリオレフィンを主成分とする多孔質フィルムや市販品（ブレスロン、日東電工（株）社製）等が挙げられる。
【００２３】
本発明において、シートＡは、印刷情報の視認性やバーコードの読み取り性の観点から、白色であることが好ましい。白色であるシートＡは、例えば、白色顔料（例えば、酸化チタン、酸化亜鉛、天然クレー、炭酸マグネシウム等）を含有させて製造できる。白色顔料の含有量は、ポリオレフィン１００重量部に対して、通常１〜５０重量部、好ましくは５〜３０重量部である。
【００２４】
本発明のサンプル保管用シートは、シートＡの袋の外面となる面に好適に印字、バーコード、図柄等の印刷をすることができる。シートＡはポリオレフィンを主成分とするシートであるので、本発明のサンプル保管用シートは、印刷面の印刷外観及び印刷耐久性に優れ、サンプルに含まれる液体成分の含浸による印刷面の汚染がない。印刷に用いるインクは、シートＡとの密着性の観点から、ポリオレフィンを主成分とするインクが好ましい。ポリオレフィンを主成分とするインクとしては、ポリエチレンインク、ポリプロピレンインク等が挙げられ、転写性の観点から、ポリエチレンインクが好ましい。
シートＡがポリエチレンフィルムまたは表層がポリエチレン層からなる積層フィルムであって、印刷に用いるインクがポリエチレンインクである場合、転写性、密着性、印刷の耐久性等において特に好ましい結果が得られる。
【００２５】
上記のポリオレフィンを主成分とするインクは、ポリオレフィンと１種又は２種以上の着色剤とを含有する。原料であるポリオレフィンの粘度平均分子量は、通常５０００〜３０万であり、好ましくは２０万以下である。着色剤としては、例えば有機系又は無機系の顔料、カーボン、金属粉末等の適宜なものを用いることができる。着色剤の含有量は、ポリオレフィン１００重量部に対して、通常５０〜５００重量部、好ましくは１００〜３００重量部である。インクは、本発明の効果を阻害しない限り他の添加物、例えば溶媒、紫外線吸収剤、分散剤、界面活性剤等を含有していてもよい。
【００２６】
ポリオレフィンを主成分とするインクは、自体公知の方法で製造することができ、例えば、１種又は２種以上の着色剤とポリオレフィンをロールミル等の適宜な混練機にて加熱混合するか、必要に応じてポリオレフィン溶解性の溶媒を用いて例えばロールミルやポットミル等の適宜な混練機で混合してペースト状等の流動物として製造することができる。
【００２７】
本発明のサンプル保管用シートの、シートＡの袋の外面となる面の印刷は、例えば、熱転写印刷、グラビア印刷、凸版印刷、スクリーン印刷、ドットインパクト等が挙げられ、現場発行とポリオレフィン同士の強固な熱融着により印刷の耐久性が得られることから、熱転写印刷が好ましい。
【００２８】
本発明において、「サンプル保管用シート」とは、単一のサンプル保管用シートを意味するだけでなく、複数のサンプル保管用シートが連続的に繋がって、各隣り合うサンプル保管用シートの間にミシン目線が設けられた、サンプル保管用シートの連続体も包含する。該連続体では、実際にサンプルを収容する作業の前までは、複数の保管用シートが繋がっているので取り扱いが煩雑にならない。また、該連続体であれば、実際にサンプルを収容する際、サンプル数に応じて、各隣り合うサンプル保管用シートの間のミシン目線を指先等で切断することで必要数の保管用シートを切り出し、サンプルの保管作業を行うことができる。従って、完成したサンプル保管品及び未使用のサンプル保管用シートの管理を容易に行える。なお、当該連続体に設けるミシン目線は、サンプル保管用シートを貫通して設けられることが好ましく、また、分離を容易にするため、ミシン目線の端部に、切り込みを設けてもよい。
【００２９】
本発明のサンプル保管用シートの外形は特に限定されず、例えば、方形（正方形又は長方形）等が挙げられる。本発明のサンプル保管用シートのサイズは、サンプルを閉じ込めることができ、また、表面に印刷するのに適したサイズであれば特に限定されないが、例えば一辺が２０〜５００ｍｍ、好ましくは一辺が５０〜２００ｍｍのサイズが挙げられる。
【００３０】
本発明のサンプル保管用シートに適用するサンプルは、特に限定されず、例えば食品サンプル（例えば牛肉、ブタ肉、鳥肉、加工品、野菜等）、動植物の研究用サンプル等が挙げられる。本発明のサンプル保管用シートは、サンプルを挿入する際の袋の開口が容易であるため容易にサンプリング作業を行うことができ、印刷面の印刷外観及び印刷耐久性に優れ、サンプルに含まれる液体成分の含浸による印刷面の汚染がなく、サンプリングの際にサンプルがシートから滑り落ちるような欠点がなく、かつ、構成及び製法が簡素であるので、トレーサビリティシステムにおける上記のようなサンプルの保管に好適に用いることができる。
【００３１】
本発明のサンプル保管用シートによれば、例えば、その開口部からサンプルを挿入後、開口部を接着剤、ヒートシール等により封鎖することで、サンプルを保管する。サンプル保管用袋に閉じ込めたサンプルは、サンプルの分析等の際に、袋を破る等して取り出すことができる。
【実施例】
【００３２】
以下に実施例を挙げて本発明を具体的に説明するが、これらの実施例は本発明を限定するものではない。
実施例１
厚さ１００μｍの粘度平均分子量が約５０万の高密度ポリエチレン製シートからなるシートＡ（１）と、坪量約９０ｇ／ｍ２の上質紙に厚さ３０μｍの粘度平均分子量が約１０万の低密度ポリエチレン層を押出しラミネートして得られたシートからなるシートＢ（２）を用意し、図１示すように、袋の開口部の外周を構成するシートＡ（１）の辺およびシートＢ（２）の辺（５ａ、５ｂ）を略２等分する点を起点とし、かつ袋の底部（８）となる辺を略２等分する点に至る１本の線分であって、袋の外側に向かって凸となる山折りの折り目（６）を、シートを手で折り曲げることにより設けた。そして、該折り目を付したシートＡ（１）とシートＢ（２）とを積層し、該積層体の外周端部（３）を袋の開口部（４）となる未接合部を一部に残してヒートシールにより接合して袋状とすることで、図１に示す外観の本発明のサンプル保管用シートを製造した。
【００３３】
実施例２
図２示すように、厚さ１０μｍの粘度平均分子量が約１０万の低密度ポリエチレンフィルム／厚さ１０μｍのポリオレフィン系接着剤層／厚さ７０μｍのポリプロピレンフィルム／厚さ１０μｍのポリオレフィン系接着剤層／厚さ１０μｍの粘度平均分子量が約１０万の低密度ポリエチレンフィルムの積層構造のシートからなるシートＡ（１）に対し、袋の開口部の外周を構成する該シートＡの辺（５ａ）を略２等分する点を起点とし、かつ袋の底部（８）となる辺を略２等分する点に至る１本の線分であって、袋の外側に向かって凸となる山折りの折り目（６）を、シートを手で折り曲げることで形成した。該折り目を付したシートＡ（１）と、実施例１と同じシートＢ（２）を積層し、該積層体の外周端部（３）を袋の開口部（４）となる未接合部を一部に残してヒートシールにより接合して袋状とすることにより、図２に示す外観の本発明のサンプル保管用シートを製造した。
【００３４】
実施例３
実施例１と同じシートＡ（１）及びシートＢ（２）を用意し、これらのシートに、図３に示すように、袋の開口部の外周を構成するシートＡの辺およびシートＢの辺（５ａ、５ｂ）を略３等分する２点を起点とし、かつ袋の底部（８）となる辺を略３等分する２点に至る２本の平行な線分であって、袋の外側に向かって凸となる山折りの折り目（６）を、シートを手で折り曲げることで設けた。該折り目を付したシートＡ（１）とシートＢ（２）とを、図３に示すように、積層し、該積層体の外周端部（３）を袋の開口部（４）となる未接合部を一部に残してヒートシールにより接合して袋状として、本発明のサンプル保管用シートを製造した。
【００３５】
実施例４
実施例２と同じシートＡ（１）及びシートＢ（２）を用意し、これらのシートに、図４に示すように、袋の開口部の外周を構成するシートＡの辺およびシートＢの辺（５ａ、５ｂ）を略３等分する２点（図４のＣで示す）を起点とし、かつ袋の底部（８）となる辺を略２等分する点（図４のＤで示す）に至る２本の線分であって、袋の外側に向かって凸となる山折りの折り目（６）を、シートを手で折り曲げることで設けた。該折り目を付したシートＡ（１）及びシートＢ（２）を積層し、該積層体の外周端部（３）を袋の開口部（４）となる未接合部を一部に残してヒートシールにより接合して袋状とすることにより、図４に示す外観の本発明のサンプル保管用シートを製造した。
【００３６】
実施例５
実施例１と同じシートＡ（１）及びシートＢ（２）を用意し、これらのシートに、図５に示すように、袋の開口部の外周を構成するシートＡの辺およびシートＢの辺（５ａ、５ｂ）の両端部（図５のＥで示す）を起点とし、かつ袋の底部（８）となる辺を略２等分する点（図５のＤで示す）に至る２本の線分であって、袋の内側に向かって凸となる谷折りの折り目（７）を、シートを手で折り曲げることで設けた。なお、シートＢの谷折りの折り目は図５に現れていない。さらに、該谷折りの折り目を付したシートＡ（１）とシートＢ（２）に、それぞれ、前記谷折りの折り目の２点の起点（図５のＥで示す）の間の点であって、袋の開口部の外周を構成するシートＡの辺およびシートＢの辺（５ａ、５ｂ）を略２等分する点（図５のＣで示す）を起点とし、かつ前記袋の底部（８）の１点（図５のＤで示す）に至る１本の線分であって、袋の外側に向かって凸となる山折りの折り目（６）を、シートを手で折り曲げることで設けた。該谷折りおよび山折りの折り目加工を付したシートＡ（１）とシートＢ（２）とを、図５に示すように積層し、該積層体の外周端部（３）を袋の開口部（４）となる未接合部を一部に残してヒートシールにより接合して袋状として、本発明のサンプル保管用シートを製造した。
【図面の簡単な説明】
【００３７】
【図１】図１は、本発明のサンプル保管用シートの一例を示す斜視図である。
【図２】図２は、本発明のサンプル保管用シートの一例を示す斜視図である。
【図３】図３は、本発明のサンプル保管用シートの一例を示す斜視図である。
【図４】図４は、本発明のサンプル保管用シートの一例を示す斜視図である。
【図５】図５は、本発明のサンプル保管用シートの一例を示す斜視図である。
【符号の説明】
【００３８】
１  シートＡ
２  シートＢ
３  外周端部
４  開口部
５  開口部の外周
５ａ  開口部の外周を構成するシートＡの辺
５ｂ  開口部の外周を構成するシートＢの辺
６  山折りの折り目
７  谷折りの折り目
８  袋の底部
【図１】
2006317415.tif 000003
【図２】
2006317415.tif 000004
【図３】
2006317415.tif 000005
【図４】
2006317415.tif 000006
【図５】
2006317415.tif 000007